(57)【特許請求の範囲】
【請求項１】
地盤を掘削し、その掘削土壌中に安定剤を注入し攪拌混合して改良する地盤改良処理機における複数本の攪拌掘削軸の下部を軸受を介して回転可能に連結する下部連結バンドにおいて、
攪拌掘削軸に取り付けた軸受の上下のフランジの間の胴部を支持する二つ割り型の軸受保持板と、隣合う攪拌掘削軸の軸受を支持した前記軸受保持板同士を繋ぐ間隔保持材とが、垂直面内で回転するピン機構により連結されていることを特徴とする、攪拌掘削軸の下部連結バンド。
【発明の詳細な説明】
【０００１】
【発明の属する技術分野】
この発明は、地盤を掘削し、その掘削土壌中に安定剤を注入し攪拌混合して改良する地盤改良処理機の技術分野に属し、更に云えば、いわゆる多軸型地盤改良処理機における複数本の攪拌掘削軸の下部を軸受を介して回転可能に連結する下部連結バンドに関する。
【０００２】
【従来の技術】
従来、多軸型地盤改良処理機における複数本の攪拌掘削軸の下部は、図４と図５に例示したように、下部連結バンド１４（又は連結金具ともいう）により相互に連結して、二つの撹拌掘削軸３、３の間隔を一定に保ち、且つ、２軸の動きを互いに拘束して精度の高い地盤改良の施工を可能ならしめている。
【０００３】
従来の下部連結バンド１４の具体的構造は、図６に詳示したように、攪拌掘削軸３の下部の該当位置へ取り付けた二つ割り型のメタル軸受１５における上下のフランジ１５ａ、１５ａの間の胴部１５ｂの外周を抱きかかえる形に支持する二つ割り型の半円筒部１４ａを両端に形成した一対のバンド部材１４ｂ、１４ｂを用意し、前記一対の半円筒部１４ａ、１４ａでメタル軸受１５の胴部１５ｂを回転自在な状態にきっちり抱きかかえさせ、各半円筒部１４ａの外端部に付設した端板１４ｃ、及び反対側の半円筒首部をそれぞれボルト１６及びナット１７により強固に締結した構成とされている。バンド部材１４ｂは、通例、鋼板のプレス加工品として製作されている。
【０００４】
【発明が解決しようとする課題】
多軸型地盤改良処理機により地盤を改良処理するにあたり、例えばラップ施工の精度を高める手法として、貫入作業中の撹拌掘削軸の方向を制御（誤差を修正）する方法が実施される。その方法としては、従来、
【０００５】
（ａ）ワイヤー又はロッドを仲介としてジャッキ操作で修正を行う方法（特公昭５８−９２０９号＝特許第１１７８６５４０号公報又は特許第２７３６４７１号公報＝平成１０年４月２日発行を参照）。
【０００６】
（ｂ）トルクを伝達可能な自在継手を仲介として修正を行う方法（特願２０００−７０１４６明細書及び図面を参照）。
などが提案されている。
【０００７】
ところが、上記（ａ）、（ｂ）の方法を実施する地盤改良処理機の撹拌掘削軸には、従来、上述の下部連結バンド１４が使用されている。
【０００８】
従来の下部連結バンド１４は上記した構成であるが故に、連結の剛性が高く、遊びが少ない。そのため、特に横方向への方向制御を行う力に対しては、前記の剛性が反力として作用し、方向制御を行うことに対して障害となっている。あえて強制的に方向制御行う場合には、制御に必要な力が非常に大きなものとなって制御が難しいのである。
【０００９】
そこで本発明の目的は、特に攪拌掘削軸の横方向への方向制御が容易であるように自在ピン構造（ピン機構）とし、小さな力で左右方向への制御を容易に行うことができ、一方、通常の貫入や引き抜き時、及び前後方向への制御は従来通りの機能を発揮して支障ない構成に改良したピン式の下部連結バンドを提供することである。
【００１０】
【課題を解決するための手段】
上述した課題を解決するための手段として、請求項１に記載した発明に係る攪拌掘削軸の下部連結バンドは、
地盤を掘削し、その掘削土壌中に安定剤を注入し攪拌混合して改良する地盤改良処理機における複数本の攪拌掘削軸の下部を軸受を介して回転可能に連結する下部連結バンドにおいて、
攪拌掘削軸に取り付けた軸受の上下のフランジの間の胴部を支持する二つ割り型の軸受保持板と、隣合う攪拌掘削軸の軸受を支持した前記軸受保持板同士を繋ぐ間隔保持材とが、垂直面内で回転するピン機構により連結されていることを特徴とする。
【００１１】
【発明の実施形態及び実施例】
請求項１記載の発明に係る下部連結バンドの実施形態を図１〜図３に示している。
【００１２】
本発明の下部連結バンド４は、地盤を掘削し、その掘削土壌中に安定剤を注入し攪拌混合して改良する地盤改良処理機における複数本の攪拌掘削軸３、３の下部を軸受を介して回転可能に連結するものとして実施される。
【００１３】
特には図３が理解しやすいように、本発明の下部連結バンド４は、攪拌掘削軸３の下部の該当位置に取り付けた二つ割り型のメタル軸受１５における上下のフランジ１５ａ、１５ａの間の胴部１５ｂの外周を回転自在に支持する二つ割り型の軸受保持板４ａ、４ｂと、隣合う２本の攪拌掘削軸３、３の前記メタル軸受１５を支持した前記軸受保持板４ａ、４ｂの間を繋ぐ間隔保持材４ｃとが、垂直面内で回転するピン機構５により連結されている。
【００１４】
本発明の場合も、上記二つ割り型の軸受保持板４ａ、４ｂは、メタル軸受１５の胴部１５ｂの外周を抱きかかえるように回転自在に支持した状態を、各々の外端部に付設した端板４ｄ、４ｄ同士、及び反対側の半円筒首部の位置とがそれぞれ複数のボルト６とナット７で強固に締結される。
【００１５】
そして、一方の軸受保持板４ｂには平板部８が少し長く形成され、その先端寄り位置の中央部に１個のボルト孔９が設けられ、このボルト孔９の位置を中心として平板部８の端縁は同心円状に丸く成形されている。
【００１６】
他方、前記間隔保持材４ｃの端部には前記平板部８の厚さに略等しい凹部１０が形成され、その略中央位置に１個のボルト孔１１が前記ボルト孔９と位置が整合するように設けられ、段差部１２は前記平板部８の端縁よりも少し大径の円弧状に形成されている。
【００１７】
要するに、この下部連結バンド４は、上記したように撹拌掘削軸３のメタル軸受１５の胴部１５ｂを回転自在に支持するよう組み立てられた二つ割り型の軸受保持板４ａ、４ｂにおける少なくとも一方に設けた平板部８を、間隔保持材４ｃの端部に形成した凹部１０へ両者のボルト孔９と１１の中心が一致するように重ね合せ、そのボルト孔９と１１へ１本のピン軸となるボルト１３を通し、ナット１３ａをねじ込み、凹面部１０に沿って垂直面内で回転するピン機構５を構成して連結されている。
【００１８】
したがって、本発明の下部連結バンド４を使用した撹拌掘削軸３は、横方向への方向制御を、ピン機構５による自在性に基いてスムーズに行うことができる。即ち、下部連結バンド４で相互に連結された２本の撹拌掘削軸３、３は、ピン機構５の自在性による回転で、横方向への制御力が円滑に伝達され、小さな力で方向制御を行うことが出来る。よって、上述したワイヤー又はロッドを仲介としてジャッキ操作で修正を行う方法、或いはトルクを伝達可能な自在継手を仲介として修正を行う方法のいずれでも、小さな力で左右方向（横方向）の制御を容易に行うことができる。
【００１９】
一方、通常の貫入や引き抜き時、或いは前後方向への制御は、ピン機構５の剛性により、通常の連結バンドと同様に働くので、障害とならないのである。
【００２０】
【本発明が奏する効果】
本発明に係る攪拌掘削軸の下部連結バンドによれば、特に攪拌掘削軸の横方向への修正（制御）を、小さな力で容易に行える。よって、深層混合処理工法などにおけるラップ精度を高めて高品質に施工することに寄与するのである。
【図面の簡単な説明】
【図１】本発明の下部連結バンドの実施形態を示す正面図である。
【図２】図１のII−II線矢視断面図である。
【図３】下部連結バンドの分解図である。
【図４】従来の下部連結バンドの実施形態を示す正面図である。
【図５】図４のＶ−Ｖ線矢視断面図である。
【図６】従来の連結バンドの分解図である。
【符号の説明】
３    攪拌掘削軸
４    下部連結バンド
１５    軸受
１５ａ  フランジ
１５ｂ  胴部
４ａ    軸受保持板
４ｂ    軸受保持板
４ｃ    間隔保持材
５    ピン機構
【図１】
0003680297.tif 000002
【図２】
0003680297.tif 000003
【図３】
0003680297.tif 000004
【図４】
0003680297.tif 000005
【図５】
0003680297.tif 000006
【図６】
0003680297.tif 000007